(57)【特許請求の範囲】
【請求項１】
家屋の開閉部に設けた固定枠と回動枠とのいずれか一方に固定されるフック部材と、前記回動枠が固定枠に当接して閉鎖位置にあるときに、前記フック部材と係合する装置本体と、を有するスライド式施錠装置であって、
前記装置本体は、
前記固定枠と回動枠とのいずれか他方に固定される芯材と、
該芯材を覆うと共に、該芯材に沿ってスライド移動可能なスライドケースと、
前記芯材に形成された凹部に弾性部材を介して設けられ、前記スライドケースに開口された嵌合穴部を常閉するように前記弾性部材により付勢され、前記嵌合穴部にフック部材が嵌合したときに前記凹部内に入り込むトリガー部材と、
前記芯材に弾性部材を介して支持され、常時は前記スライドケースを移動不能にし、押圧されると前記スライドケースを移動可能にするロック−アンロック釦と、
を有し、
前記回動枠の閉鎖時に、前記フック部材が前記スライドケースの嵌合穴部に嵌合し前記トリガー部材を後退させると共に、前記ロック−アンロック釦を押圧することにより前記スライドケースが前記芯材に沿ってスライド移動し、前記フック部材に前記スライドケースを係合させるように構成したことを特徴とするスライド式施錠装置。
【請求項２】
前記ロック−アンロック釦は、前記ケースの相対向する側面の双方に突出するように配設され、いずれか一方を前記固定枠もしくは回動枠に押し付けた状態で前記芯材を固定することにより、押し付け側釦を不作動になるように構成したことを特徴とする請求項１に記載のスライド式施錠装置。
【請求項３】
前記ロック−アンロック釦は、常時は前記ケースの表面より突出し、押圧することにより前記ケース内に没入し、当該ケースが前記芯材に対してスライド可能となるように構成したことを特徴とする請求項１又は２に記載のスライド式施錠装置。
【請求項４】
前記芯材を前記固定枠もしくは回動枠に取り付ける固定部材は、外部から視認できないようにキャップにより覆ったことを特徴とする請求項１〜３のいずれかに記載のスライド式施錠装置。
【請求項５】
前記スライドケースは、表示窓を有し、前記フック部材に対する前記スライドケースの係合時に前記表示窓にロック状態を示す表示をし、非係合時にアンロック状態を示す表示をすることを特徴とする請求項１〜４のいずれかに記載のスライド式施錠装置。
【発明の詳細な説明】
【技術分野】
【０００１】
本発明は、回動開閉可能な窓などをロックするスライド式施錠装置に関する。
【背景技術】
【０００２】
一般に、スライド式施錠装置は、例えば、下記特許文献１に開示されているように、トイレなどのドアロックに使用されている。この装置は、ドアと枠板との間に設けられ、ドアと枠板とが同一平面に閉じられた時、スライド部材をスライドし、枠板側に設けられたロック部材と係合させるものであるが、簡単な構造で使い勝手がよく、比較的確実にロックできることから多用されている。
【特許文献１】特開２００２−３０３０６２号公報（要約、図１参照）
【発明の開示】
【発明が解決しようとする課題】
【０００３】
しかし、このようなスライド式施錠装置は、ドアが閉じられたときに該ドアと枠板とが同一平面に存在しない場合、即ち、回動枠と固定枠とが同一平面に存在しない開閉部の構造には、使用することができない。
【０００４】
本発明は、上記従来技術の課題を解決するためになされたものであり、回動枠と固定枠とが同一平面に存在しない開閉部の構造でも使用でき、簡単なスライド機構で回動枠を固定枠にロック可能なスライド式施錠装置を提供することを目的とする。
【課題を解決するための手段】
【０００５】
本発明の上記目的は、下記の手段によって達成される。
【０００６】
（１）家屋の開閉部に設けた固定枠と回動枠とのいずれか一方に固定されるフック部材と、前記回動枠が固定枠に当接して閉鎖位置にあるときに、前記フック部材と係合する装置本体と、を有するスライド式施錠装置であって、前記装置本体は、前記固定枠と回動枠とのいずれか他方に固定される芯材と、該芯材を覆うと共に、該芯材に沿ってスライド移動可能なスライドケースと、前記芯材に形成された凹部に弾性部材を介して設けられ、前記スライドケースに開口された嵌合穴部を常閉するように前記弾性部材により付勢され、前記嵌合穴部にフック部材が嵌合したときに前記凹部内に入り込むトリガー部材と、前記芯材に弾性部材を介して支持され、常時は前記スライドケースを移動不能にし、押圧されると前記スライドケースを移動可能にするロック−アンロック釦と、を有し、前記回動枠の閉鎖時に、前記フック部材が前記スライドケースの嵌合穴部に嵌合し前記トリガー部材を後退させると共に、前記ロック−アンロック釦を押圧することにより前記スライドケースが前記芯材に沿ってスライド移動し、前記フック部材に前記スライドケースを係合させるように構成したことを特徴とするスライド式施錠装置。
【０００７】
（２）前記ロック−アンロック釦は、前記ケースの相対向する側面の双方に突出するように配設され、いずれか一方を前記固定枠もしくは回動枠に押し付けた状態で前記芯材を固定することにより、押し付け側釦を不作動になるように構成したことを特徴とする（１）に記載のスライド式施錠装置。
【０００８】
（３）前記ロック−アンロック釦は、常時は前記ケースの表面より突出し、押圧することにより前記ケース内に没入し、当該ケースが前記芯材に対してスライド可能となるように構成したことを特徴とする（１）又は（２）に記載のスライド式施錠装置。
【０００９】
（４）前記芯材を前記固定枠もしくは回動枠に取り付ける固定部材は、外部から視認できないようにキャップにより覆ったことを特徴とする（１）〜（３）のいずれかに記載のスライド式施錠装置。
【００１０】
（５）前記スライドケースは、表示窓を有し、前記フック部材に対する前記スライドケースの係合時に前記表示窓にロック状態を示す表示をし、非係合時にアンロック状態を示す表示をすることを特徴とする（１）〜（４）のいずれかに記載のスライド式施錠装置。
【発明の効果】
【００１１】
本発明に係るスライド式施錠装置によれば、回動枠が固定枠に当接して閉鎖位置にあるときに、フック部材がスライドケースの嵌合穴部に嵌合してトリガー部材を後退させる。この状態で、ロック−アンロック釦を押圧してスライドケースを芯材に沿ってスライド移動させると、該スライドケースがフック部材に係合する。したがって、固定枠に対して回動枠が回動開閉し、回動枠と固定枠とが同一平面に存在しない開閉部の構造でも使用でき、簡単なスライド機構で回動枠を固定枠にロックすることが可能である。
【発明を実施するための最良の形態】
【００１２】
以下、本発明の実施の形態を図面に基づいて説明する。
【００１３】
図１は本発明に係るスライド施錠装置の設置場所を示す要部斜視図である。図２は本実施形態のスライド施錠装置のフック部材を示す斜視図である。図３は本実施形態のスライド施錠装置の本体を示す分解斜視図である。図４は図３のＡ−Ａ線断面図である。図５は本実施形態のスライド施錠装置の本体の内部構造を示す分解斜視図である。
【００１４】
図１を参照して、本実施形態のスライド施錠装置１０は、主にフック部材２０と装置本体３０とからなり、家屋の開閉部に設けられた矩形枠体状の固定枠１と、この固定枠１に一側部が軸支されて、該固定枠１内に区画された開口部を回動開閉する回動枠２と、に分離して設けられる。すなわち、固定枠１と回動枠２とのいずれか一方にはフック部材２０が固定され、いずれか他方には装置本体３０が固定される。本実施形態では、たとえば、固定枠１は固定窓枠、回動枠２は回動式開閉窓枠であって、この回動枠２内にはガラス板３が装着されているが、これに限定されるものではなく、回動枠２は回動式開閉扉であってもよい。また、回動枠２が回動式開閉扉の場合、回動枠２内に化粧合板等の板材が張設されていてもよく、回動枠２自体が長方形の扉板であっても構わない。回動枠２は、その固定枠側の面が固定枠１に当接したときに閉成状態となり、回動枠２内のガラス板３等が固定枠２内に区画された開口部を閉鎖する。
【００１５】
図１から図４を参照して、本実施形態では、たとえば、回動枠２の開閉側縦枠の下部にフック部材２０が固定され、該フック部材２０の設置位置に相対向するように、固定枠１の開口部側の面に装置本体３０を構成する芯材４０が固定される。
【００１６】
フック部材２０は、矩形状の取付け板２１の中央部に下向きに側面視Ｌ字状のフック２２を一体形成した部材であり、フック２２の上下には止着孔２３が形成され、これらの止着孔２３にネジ等の固定部材２４を止着することにより、上記回動枠２に固定される。
【００１７】
図４および図５を参照して、芯材４０は、装置本体３０の核となる異形部材であり、後述するトリガー部材５２やロック−アンロック釦５４が装着配置される中央機構部４１と、この中央機構部４１の上下に延出されたガイド部４２、４３と、から概ね構成される。芯材４０は、図４の断面図において、略左右対称となる形状に形成され、左右いずれかの面が固定枠１の開口部側の面に当接する固定側面となる。この芯材４０の中央機構部４１とガイド部４２、４３との境界部には、固定方向（図４において左右方向）に貫通する挿通孔４４がそれぞれ形成されており、図４における左右いずれかの面が固定枠１の開口部側の面に当接して固定側面となってもよいように、挿通孔４４の両端にネジ等の固定部材４５の頭部が着座する拡径部４４ａが形成されている。
【００１８】
芯材４０は、固定枠１の開口部側の面に、その長手方向を上下方向に一致させて固定部材４５により止着固定される。この芯材４０はスライドケース６０によって覆われており、該スライドケース６０は芯材４０のガイド部４２、４３に沿って上下にスライド移動可能となっている。すなわち、芯材４０のガイド部４２、４３は、スライドケース６０のスライド移動を案内するが、その中央部側には移動限界を規制する拡幅段部４６が形成され、該拡幅段部４６よりも中央部側は同じ幅に形成されている。
【００１９】
スライドケース６０は、回動枠２に臨む面が開口され、固定側面およびこれに対向する面がコ字状に切り欠かれたケース本体６１と、このケース本体６１を覆うケース蓋体６２と、からなっている。ケース本体６１の固定面の長手方向両端部（上下部）にはネジ孔を有するボス状の止着部６３がそれぞれ形成されており、ケース蓋体６２の長手方向両端部（上下部）に形成された止着孔６４にネジ等の固定部材６５を止着することにより、ケース本体６１とケース蓋体６２とが一体化される。したがって、芯材４０のガイド部４２、４３は、ボス状の止着部６３によって移動が妨げられないように二股に形成され、図４において略Ｕ字形状を呈している。
【００２０】
芯材４０にスライドケース６０を装着した状態において、ケース蓋体６２は回動枠２側に位置し、上記フック部材２０に臨んで配置される。ケース蓋体６２の略中央部には、フック部材２０のフック２２が嵌合する矩形の嵌合穴部６６が開口されている。また、芯材４０の上記嵌合穴部６６に対応する部位、すなわち、図４における中央機構部４１の中央部には長手方向（上下方向）に沿って矩形溝状の凹部４７が形成されており、この凹部４７にはバネ等の弾性部材５１を介してトリガー部材５２が装着されている。トリガー部材５２は、上記スライドケース６０に開口された嵌合穴部６６を常閉するように弾性部材５１により付勢され、嵌合穴部６６にフック部材２０のフック２２が嵌合したときに上記凹部４７内に入り込むようになっている。トリガー部材５２は、スライドケース６０の内側から嵌合穴部６６内にその表面部を臨ませる矩形キー状の部材であって、裏面側には弾性部材５１を装着する凹部５２ａが形成されており、上下部には嵌合穴部６６からの飛び出しを防止する突起部５２ｂがそれぞれ形成されている。したがって、芯材４０の中央機構部４１に形成された凹部４７の上下部にもトリガー部材５２の突起部５２ｂを案内する縦溝部４７ａが形成されている。
【００２１】
また、芯材４０の中央機構部４１の固定側およびこれに対向する側（図４において左右）には、ロック−アンロック釦５４を装着する装着凹部４８がそれぞれ形成されている。装着凹部４８、図４において略左右対称に形成され、コイルバネ等の弾性部材５３を介して矩形キー状のロック−アンロック釦５４がそれぞれ装着される。各ロック−アンロック釦５４の両側部には異なる幅の突起部５４ａ、５４ｂが形成され、芯材４０の装着凹部４８には当該突起部５４ａ、５４ｂを案内する異なる幅の切欠き部４８ａ、４８ｂがそれぞれ形成されている。各ロック−アンロック釦５４の表面は滑りを防止する波状の凹凸粗面になっており、裏面側には弾性部材５３を装着する円形の凹部５４ｃが形成されている。各ロック−アンロック釦５４は、弾性部材５３に付勢されて、ケース本体６１とケース蓋体６２とによって区画された開口部６７の中央に突出するが、その両側部の突起部５４ａ、５４ｂによって飛び出しが規制される。
【００２２】
上記開口部６７に突出したロック−アンロック釦５４の上下には固定部材４５の挿通孔４４が臨んでおり、該挿通孔４４には外部から固定部材４５が視認できないようにキャップ５５が装着される。キャップ５５はプラスチックにより形成され、矩形の板部５５ａの裏面に、上記挿通孔４４に挿着される円筒状の挿着部５５ｂが一体形成されている。上記開口部６７の上下に位置する挿通孔４４にキャップ５５がそれぞれ挿着されることにより、上下のキャップ５５によって開口部６７の中央に突出するロック−アンロック釦５４が規制される。これにより、常時は弾性部材５３により付勢されてキャップ５５、５５間に突出し、開口部６７を介したスライドケースの上下方向のスライド移動を不能にする。他方、ロック−アンロック釦５４が使用者の指で押圧されると、ロック−アンロック釦５４がキャップ５５、５５間に入り込み、開口部６７を介したスライドケースの上下方向のスライド移動が可能となる。すなわち、ロック−アンロック釦５４は、常時はスライドケース６０の表面より突出し、使用者により押圧されるとスライドケース６０内に没入して該ケース６０が芯材４０に対してスライド可能となる。そして、スライドケース６０を芯材４０に沿ってスライド移動させると、このスライドケース６０が上記フック部材２０のフック２２に係合するようになっている。本実施形態では、スライドケース６０を上方向にスライド移動させると、フック部材２０のフック２２の下部にケース蓋体６２が入り込んで係合するようになっている。
【００２３】
各ロック−アンロック釦５４は、スライドケース６０の相対向する側面、すなわち、固定側面およびこれに対向する面の双方の開口部６７に突出するように配設される。そして、いずれか一方を上記固定枠１もしくは回動枠２に押し付けた状態で芯材４０を固定することにより、押し付け側釦５４が不作動となる。本実施形態では、固定枠１の開口側面に一方のロック−アンロック釦５４を押し付けた状態で芯材４０を固定し、固定枠１の開口部に臨んだロック−アンロック釦５４のみが使用可能となる。押し付け側釦５４は木枠に押されて、上記芯材４０の拡幅部４６と面一に入り込んだ状態となる。
【００２４】
また、ケース本体６１のケース蓋体６２と対向する面の略中央部には矩形の表示窓６８が開設され、この表示窓６８にはスライド式施錠装置１０のロック状態またはアンロック状態が表示される。たとえば、芯材４０の背面（表示窓６８に臨む面）に上下に赤；ロック状態、青；アンロック状態の塗り分け表示を施しておき、スライドケース６０が上方へスライド移動されてフック部材２０のフック２２に係合しているときに表示窓６８に赤のロック状態が表示され、スライドケース６０が下方へスライド移動されてフック２２から離脱しているときに表示窓に青のアンロック状態が表示されるようになっている。
【００２５】
なお、装置本体３０に別個に不図示の回し鍵を取り付けて、スライドケース６０のロック状態を保持しうるように構成してもよい。
【００２６】
次に、本実施形態のスライド式施錠装置１０の取り付け方法および作動について説明する。図６は本実施形態のスライド式施錠装置１０の取り付け治具を示す概略斜視図である。図７は固定枠と回動枠との間に取り付け治具を装着した状態を示す概略図である。図８は本実施形態のスライド式施錠装置のアンロック状態を示す縦断面図である。図９は本実施形態のスライド式施錠装置のロック状態を示す縦断面図である。図１０は表示窓へのロック状態表示を示す概略図である。
【００２７】
図６に示す取り付け治具７０は、フック部材２０と装置本体３０とを固定枠１と回動枠２とに取り付ける際に使用し、フック部材２０と装置本体３０との取り付け芯出しを行う治具である。取り付け治具７０は、たとえば、ボール紙等により形成されており、固定枠１への装着面７１と、回動枠２への装着面７２とを有する略Ｌ字状の成形治具である。固定枠１への装着面７１には、装置本体３０の芯材４０を止着する止着孔７３がマーキングされ、止着孔７３に芯材４０の固定部材４５を止着する。他方、回動枠２への装着面７２には、フック部材２０を止着する止着孔７４がマーキングされ、止着孔７４にフック部材２０の固定部材２４を止着する。
【００２８】
図７を参照して、回動枠２が固定枠１に当接して閉鎖位置にあるときに、固定枠１と回動枠２との間のスライド式施錠装置１０を取り付けようとする位置に取り付け治具７０を装着する。この状態で、取り付け治具７０のセンタを振り分け、固定枠１への装着面７１と回動枠２への装着面７２との中心合わせ、位置関係を調整し、回動枠２の当接面から固定枠１への装着面７１の止着孔７３までの距離Ｌを確認した上で、ボール紙を介してキリやドリル等により止着孔７３、７４を通して固定枠１および回動枠２に仮孔を形成する。
【００２９】
回動枠２の当接面に形成した仮孔を目印として、フック部材２０を固定部材２４により止着し固定する。他方、固定枠１の開口部側面に形成した仮孔を目印として、スライドケース６０内に芯材４０を保持した状態で、固定部材４５により芯材４０を止着し固定する。スライドケース６０内の芯材４０には、弾性部材５１を介してトリガー部材５２が装着されると共に、弾性部材５３を介して各ロック−アンロック釦５４が装着されているが、キャップ５５は装着されていない。一対のロック−アンロック釦５４のうち、いずれか一方を固定枠１（もしくは回動枠２）に押し付けた状態で芯材４０が固定され、押し付け側釦５４は木枠に押されて、芯材４０の拡幅部４６と面一に入り込んだ状態となる。
【００３０】
図８を参照して、回動枠２が固定枠１から離間して開放位置にあるときは、フック部材２０と装置本体３０とは別個に分離された状態にあり、本実施形態のスライド式施錠装置１０はアンロック状態である。このときスライドケース６０は下降しており、該スライドケース６０はフック部材２０のフック２２に係合していない。このアンロック状態にあるときには、表示窓６８に青のアンロック状態表示がされることになる。
【００３１】
他方、図９を参照して、回動枠２が固定枠１に当接して閉鎖位置にあるときは、回動枠２に取り付けたフック部材２０のフック２２がスライドケース６０の嵌合穴部６６に嵌合して上記トリガー部材５２を内部へ後退させ、この状態で使用者が指でロック−アンロック釦５４を押圧すると、スライドケース６０が移動可能となる。スライドケース６０を芯材４０に沿って上方へスライド移動させると、スライドケース６０のケース蓋体６２がフック部材２０のフック２２の下部に入り込んで係合しロック状態となる。このロック状態にあるときには、図１０に示すように、表示窓６８に赤のロック状態表示Ｒがされることになる。
【００３２】
以上説明したように、本実施形態のスライド式施錠装置１０によれば、回動枠２が固定枠１に当接して閉鎖位置にあるときに、フック部材２０のフック２２がスライドケース６０の嵌合穴部６６に嵌合してトリガー部材５２を後退させる。この状態で、ロック−アンロック釦５４を押圧してスライドケース６０を芯材４０に沿って上方へスライド移動させると、スライドケース６０の一部がフック部材２０のフック２２の下部へ入り込んで係合しロック状態となる構造を有している。したがって、固定枠１に対して回動枠２が回動開閉し、回動枠２と固定枠１とが同一平面に存在しない開閉部の構造でも使用でき、簡単なスライド機構により回動枠２を固定枠１にロックすることができる。
【００３３】
本発明は、上述した実施形態のみに限定されるものではなく、本発明の技術的思想内において当業者により種々変更が可能である。上述の実施形態では、芯材４０に対しスライドケース６０を、単にロックとアンロックするものであるが、スライド式施錠装置１０に近接スイッチ７０を設け、アンロック時に警報を発したり、ロック時に施錠状態を電気的に表示するように構成してもよい。例えば、図１１に示すように、マグネットスイッチ本体７０aを芯材４０側に設け、スライドケース６０側の図中破線ハッチで示す位置にマグネット７０ｂを設け、スライドケース６０が芯材４０に対しスライドし、マグネット７０ｂがスイッチ本体７０aに近付くと、スイッチ本体７０aを作動し、導線７１を介して接続された警報部材あるいは表示灯７２が作動あるいは点灯するようにしてもよい。このようなスイッチとしては、マグネットスイッチのみでなく、マイクロスイッチあるいはリミットスイッチなども使用できる。また、導線７１を使用することなく、警報部材あるいは表示灯７２を作動あるいは点灯させるようにしてもよい。
【産業上の利用可能性】
【００３４】
本発明に係るスライド式施錠装置は、固定枠と回動枠とを有する回動開閉可能な窓のみならず、回動開閉可能な扉などにも広く適用することができる。
【図面の簡単な説明】
【００３５】
【図１】本発明に係るスライド施錠装置の設置場所を示す要部斜視図である。
【図２】本実施形態のスライド施錠装置のフック部材を示す斜視図である。
【図３】本実施形態のスライド施錠装置の本体を示す分解斜視図である。
【図４】図３のＡ−Ａ線矢視図である。
【図５】本実施形態のスライド施錠装置の本体の内部構造を示す分解斜視図である。
【図６】本実施形態のスライド式施錠装置の取り付け治具を示す概略斜視図である。
【図７】固定枠と回動枠との間に取り付け治具を装着した状態を示す概略図である。
【図８】本実施形態のスライド式施錠装置のアンロック状態を示す縦断面図である。
【図９】本実施形態のスライド式施錠装置のロック状態を示す縦断面図である。
【図１０】表示窓へのロック状態表示を示す概略図である。
【図１１】本発明の他の実施形態を示す本体の内部構造を示す断面図である。
【符号の説明】
【００３６】
１…固定枠、
２…回動枠、
１０…スライド式施錠装置、
２０…フック部材、
３０…装置本体、
４０…芯材、
４７…凹部、
５１、５３…弾性部材、
５２…トリガー部材、
５４…ロック−アンロック釦、
５５…キャップ、
６０…スライドケース、
６１…ケース本体、
６２…ケース蓋体、
６６…嵌合穴部。
【図１】
0004943979.tif 000002
【図２】
0004943979.tif 000003
【図３】
0004943979.tif 000004
【図４】
0004943979.tif 000005
【図５】
0004943979.tif 000006
【図６】
0004943979.tif 000007
【図７】
0004943979.tif 000008
【図８】
0004943979.tif 000009
【図９】
0004943979.tif 000010
【図１０】
0004943979.tif 000011
【図１１】
0004943979.tif 000012